(57)【要約】ヘルメットは、上部ボディと、上部ボディ内で入れ子になった下部ボディとを備え得る。開口部が、ヘルメットの前部部分内に形成され得、上部ボディの外側表面と下部ボディの内側表面との間に配設され得る。第１の磁石は上部ボディ又は下部ボディ内に収容され得、開口部に隣接し得る。遮蔽物は、遮蔽物装着具と、開口部内にフィットし、第１の磁石に取り外し可能に連結されるようにサイズ決めされた遮蔽物装着具に連結された第２の磁石とを備え得る。第１の磁石及び第２の磁石は使用者の目と真直ぐに整列して自己整列することができる。第３の磁石は第１の磁石より上に配設され得、使用者の目から見えないところでヘルメットの外側表面上の第２の磁石と整列され得る。
2017507256.tif 000002
【特許請求の範囲】
【請求項１】
ヘルメットであって、
上部外側シェル、及び前記上部外側シェルに連結された上部エネルギー吸収材を備える上部ボディと、
下部外側シェル、及び前記外側シェルに連結された下部エネルギー吸収材を備える下部ボディであって、前記上部ボディ内で入れ子になった、下部ボディと、
前記ヘルメットの前部部分内に形成され、前記上部ボディの外側表面と前記下部ボディの内側表面との間に配設された開口部と、
前記上部エネルギー吸収材又は前記下部エネルギー吸収材内に収容され、前記開口部に隣接する第１の磁石と、
遮蔽物装着具と、前記開口部内にフィットし、前記第１の磁石に取り外し可能に連結するようにサイズ決めされる、前記遮蔽物装着具に連結された第２の磁石とを備える遮蔽物と、を備える、ヘルメット。
【請求項２】
前記第１の磁石が、前記上部ボディの前記外側表面と前記開口部との間、又は前記下部ボディの前記内側表面と前記開口部との間に配設されている、請求項１に記載のヘルメット。
【請求項３】
前記第１の磁石が、前記開口部の表面と実質的に同一平面上にある表面を備える、請求項２に記載のヘルメット。
【請求項４】
前記上部エネルギー吸収材が、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含み、
前記下部エネルギー吸収材が、ＥＰＰ、ＥＰＳ、ＥＰＵ、又はＥＰＯを含む、請求項１に記載のヘルメット。
【請求項５】
前記上部エネルギー吸収材が７０〜１００ｇ／Ｌの範囲内の密度を備え、
前記下部エネルギー吸収材が５０〜８０ｇ／Ｌの範囲内の密度を備える、請求項４に記載のヘルメット。
【請求項６】
前記遮蔽物が使用者の目と真直ぐに整列して前記上部ボディ又は前記下部ボディと磁気により連結され得るように、前記第１の磁石及び前記第２の磁石が互いに対して自己整列する、請求項１に記載のヘルメット。
【請求項７】
前記第１の磁石より上の、前記上部ボディ又は前記下部ボディ内に収容される第３の磁石を更に備え、
前記遮蔽物が前記使用者の目から見えないところで前記ヘルメットの外側表面に磁気的に連結され得るように、前記第２の磁石及び前記第３の磁石が整列されている、請求項１に記載のヘルメット。
【請求項８】
ヘルメットであって、
上部ボディと、
前記上部ボディ内で入れ子になった下部ボディと、
前記ヘルメットの前部部分内に形成され、前記上部ボディと前記下部ボディとの間に配設された開口部と、
前記上部ボディ又は前記下部ボディ内に配設され、前記開口部に隣接する第１の磁石と、
遮蔽物装着具と、前記開口部内にフィットし、前記第１の磁石に取り外し可能に連結するようにサイズ決めされる、前記遮蔽物装着具に連結された第２の磁石とを備える遮蔽物と、を備える、ヘルメット。
【請求項９】
前記第１の磁石が、前記上部ボディの外側表面と前記開口部との間、又は前記下部ボディの内側表面と前記開口部との間に配設されている、請求項８に記載のヘルメット。
【請求項１０】
前記第１の磁石が、前記開口部の表面と実質的に同一平面上にある表面を備える、請求項９に記載のヘルメット。
【請求項１１】
前記上部ボディが、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含む上部エネルギー吸収材を備え、
前記下部ボディが、ＥＰＰ、ＥＰＳ、ＥＰＵ、又はＥＰＯを含む下部エネルギー吸収材を備える、請求項８に記載のヘルメット。
【請求項１２】
前記上部エネルギー吸収材が７０〜１００ｇ／Ｌの範囲内の密度を備え、
前記下部エネルギー吸収材が５０〜８０ｇ／Ｌの範囲内の密度を備える、請求項１１に記載のヘルメット。
【請求項１３】
前記遮蔽物が使用者の目と真直ぐに整列して前記開口部内で磁気的に連結され得るように、前記第１の磁石及び前記第２の磁石が互いに対して自己整列する、請求項８に記載のヘルメット。
【請求項１４】
前記上部ボディ又は前記下部ボディ内かつ前記第１の磁石より上に配設された第３の磁石を更に備え、
前記遮蔽物が使用者の目から見えないところで前記ヘルメットの外側表面に磁気的に連結され得るように、前記第２の磁石及び前記第３の磁石が整列されている、請求項８に記載のヘルメット。
【請求項１５】
ヘルメットであって、
上部ボディと、
前記上部ボディ内で入れ子になった下部ボディと、
前記上部ボディと前記下部ボディとの間に形成された開口部と、
前記開口部内に取り外し可能にフィットするようにサイズ決めされた遮蔽物装着具を備える遮蔽物と、を備える、ヘルメット。
【請求項１６】
前記遮蔽物が前記開口部内で磁気的に連結されている、請求項１５に記載のヘルメット。
【請求項１７】
前記上部ボディの外側表面と前記開口部との間、又は前記下部ボディの内側表面と前記開口部との間に配設された第１の磁石と、
前記遮蔽物装着具に連結された第２の磁石と、を更に備える、請求項１６に記載のヘルメット。
【請求項１８】
前記上部ボディが、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含む上部エネルギー吸収材を備え、
前記下部ボディが、ＥＰＰ、ＥＰＳ、ＥＰＵ、又はＥＰＯを含む下部エネルギー吸収材を備える、請求項１５に記載のヘルメット。
【請求項１９】
前記上部ボディ又は前記下部ボディ内に配設された第１の磁石と、
前記遮蔽物装着具と連結された第２の磁石であって、前記第１の磁石及び前記第２の磁石が互いに対して自己整列して、前記遮蔽物が使用者の目と真直ぐに整列されて前記開口部内で磁気的に連結されるように連結されている、第２の磁石と、を更に備える、請求項１５に記載のヘルメット。
【請求項２０】
前記第１の磁石よりも上に配設された第３の磁石を更に備え、
前記遮蔽物が前記使用者の前記目から見えないところで前記ヘルメットの外側表面に磁気的に連結され得るように、前記第２の磁石及び前記第３の磁石が整列されている、請求項１９に記載のヘルメット。
【発明の詳細な説明】
【技術分野】
【０００１】
本開示は、サングラスなどの遮蔽物を装着させたマルチボディヘルメット構造を備えるヘルメットに関する。従来のヘルメット及び遮蔽物が、本明細書で説明されるような追加の利益と共に使用される場合はいつでも、マルチボディヘルメット及び遮蔽物が用いられ得る。
【背景技術】
【０００２】
保護的な頭部ギア及びヘルメットは、多様な用途及び使用者の頭部及び脳への損傷を防止するために、スポーツ、陸上競技、建築、鉱業、軍事防衛、及び他のものを含むいくつかの産業に渡って使用されている。使用者への損傷及び傷害は、硬質の物体又は鋭利な物体が使用者の頭部に直接接触することを防止するヘルメットによって防止又は低減され得る。使用者への損傷及び傷害は、衝撃のエネルギーを吸収、分散、又はさもなければ管理するヘルメットによって防止又は低減され得る。
【０００３】
スポーツなどの多くの用途においてヘルメットを着用している運動選手にとって、保護ヘルメットの安全面を超えて、追加的に考慮されるものには、ヘルメットのフィット及びヘルメットを通る気流が含まれフィット快適性及び通気の改善により、運動選手の気が散りにくくなり、よってパフォーマンスを改善することができる。したがって、ヘルメット設計及び構造は、使用安全性、並びに安全性を低減又は妥協することのない、フィット、気流、及び使用者の快適性における改善に関連し得る。
【０００４】
いくつかの例において、使用者はヘルメットによって提供される頭部の保護に加えて目の保護を要望し得る。したがって、使用者は時々、頭部の保護のためにヘルメットを着用すると同時に、遮蔽物、目の遮蔽物、保護眼鏡、又はサングラスを着用するであろう。時々、ヘルメット及び目の遮蔽物のための取り付け又は連結機構が互いに干渉する場合があるか、又は着け心地が悪く、かさばり、若しくは扱いにくくなる場合があり、これは使用者にとって望ましくない。
【発明の概要】
【課題を解決するための手段】
【０００５】
着け心地が悪くなく、かさばらず、又は扱いにくくない、頭部の保護及び目の保護の両方のためのヘルメットを使用者に提供する必要性が存在する。したがって一態様において、ヘルメットは上部外側シェルと、上部外側シェルに連結された上部エネルギー吸収材とを備える上部ボディを備え得る。ヘルメットは、下部外側シェルと、外側シェルに連結された下部エネルギー吸収材とを備える下部ボディを備えることができ、下部ボディが上部ボディ内で入れ子になっている。ヘルメットは、ヘルメットの前部部分内に形成され、上部ボディの外側表面と下部ボディの内側表面との間に配設される開口部を備え得る。ヘルメットは、上部エネルギー吸収材又は下部エネルギー吸収材内に収容され、開口部に隣接する、第１の磁石を備え得る。ヘルメットは、遮蔽物装着具と、開口部内にフィットし、第１の磁石に取り外し可能に連結するようにサイズ決めされる遮蔽物装着具に連結された第２の磁石とを備える遮蔽物を備え得る。
【０００６】
ヘルメットは、上部ボディの外側表面と開口部との間、又は下部ボディの内側表面と開口部との間に配設される第１の磁石を更に備え得る。第１の磁石は、開口部の表面と実質的に同一平面上にある表面を備え得る。上部エネルギー吸収材は、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含み得、下部エネルギー吸収材は、ＥＰＰ、ＥＰＳ、ＥＰＵ、又はＥＰＯを含む。上部エネルギー吸収材は、７０〜１００ｇ／Ｌの範囲内の密度を備え得、下部エネルギー吸収材は５０〜８０ｇ／Ｌの範囲内の密度を備え得る。遮蔽物が使用者の目と真直ぐに整列して上部ボディ又は下部ボディと磁気的に連結し得るように、第１の磁石及び第２の磁石は、互いに対して自己整列し得る。第３の磁石は、第１の磁石より上の上部ボディ又は下部ボディ内に収容され得、遮蔽物が使用者の目から見えないところでヘルメットの外側表面と磁気的に連結し得るように、第２の磁石及び第３の磁石が整列され得る。
【０００７】
別の態様において、ヘルメットは、上部ボディと、上部ボディ内で入れ子になった下部ボディと、ヘルメットの前部部分内に形成され、上部ボディと下部ボディとの間に配設された開口部とを備え得る。第１の磁石は、上部ボディ又は下部ボディ内に配設され得、開口部に隣接する。遮蔽物は、遮蔽物装着具と、開口部内にフィットし、第１の磁石に取り外し可能に連結するようにサイズ決めされる遮蔽物装着具に連結された第２の磁石とを備え得る。
【０００８】
ヘルメットは、上部ボディの外側表面と開口部との間、又は下部ボディの内側表面と開口部との間に配設されている第１の磁石を更に備え得る。第１の磁石は、開口部の表面と実質的に同一平面上にある表面を備え得る。上部ボディは、ＥＰＰ、ＥＰＳ、ＥＰＵ、又はＥＰＯを含む上部エネルギー吸収材を備え得、下部ボディは、ＥＰＰ、ＥＰＳ、ＥＰＵ、又はＥＰＯを含む下部エネルギー吸収材を備え得る。上部エネルギー吸収材は、７０〜１００ｇ／Ｌの範囲内の密度を備え得、下部エネルギー吸収材は５０〜８０ｇ／Ｌの範囲内の密度を備え得る。第１の磁石及び第２の磁石は、遮蔽物が使用者の目と真直ぐに整列して開口部内で磁気的に連結し得るように、互いに対して自己整列し得る。第３の磁石は、上部ボディ又は下部ボディ内かつ第１の磁石より上に配設され得、第２の磁石及び第３の磁石は、遮蔽物が使用者の目から見えないところでヘルメットの外側表面に磁気的に連結し得るように、整列され得る。
【０００９】
別の態様において、ヘルメットを使用する方法は、上部ボディと、上部ボディ内で入れ子になった下部ボディと、上部ボディと下部ボディとの間で形成された開口部と、開口部内に取り外し可能にフィットするようにサイズ決めされた遮蔽物装着具を備える遮蔽物とを備え得る。
【００１０】
ヘルメットを使用する方法は、開口部内で磁気的に連結している遮蔽物を更に備え得る。第１の磁石は、上部ボディの外側表面と開口部との間、又は下部ボディの内側表面と開口部との間に配設され得、第２の磁石は遮蔽物装着具と連結し得る。上部ボディは、ＥＰＰ、ＥＰＳ、ＥＰＵ、又はＥＰＯを含む上部エネルギー吸収材を備え得、下部ボディは、ＥＰＰ、ＥＰＳ、ＥＰＵ、又はＥＰＯを含む下部エネルギー吸収材を備え得る。第１の磁石は、上部ボディ又は下部ボディ内に配設され得る。第２の磁石は、遮蔽物装着具に連結され得、それによって第１の磁石及び第２の磁石が、遮蔽物が使用者の目と真直ぐに整列して開口部内で磁気的に連結されるように、互いに対して自己整列する。第３の磁石は、第１の磁石より上に配設され得、遮蔽物が使用者の目から見えないところでヘルメットの外側表面に磁気的に連結するように、第２の磁石及び第３の磁石は整列され得る。
【図面の簡単な説明】
【００１１】
【図１】遮蔽物を備えるマルチボディヘルメットの実施形態の側面図を示す。
【図２】上部ボディ、下部ボディ、及びマルチボディヘルメットの遮蔽物の分解斜視図を示す。
【図３】マルチボディヘルメット内の開口部と整列された、取り外し可能に連結可能な遮蔽物の拡大図を示す。
【図４】ライダー位置のマルチボディヘルメットと連結された遮蔽物の前部外形図を示す。
【図５】ひさし位置のマルチボディヘルメットと連結された遮蔽物の前部外形図を示す。
【図６】格納位置にあるマルチボディヘルメットと連結された遮蔽物の前部外形図を示す。
【発明を実施するための形態】
【００１２】
本開示、その態様及び実装例は、特定のヘルメット又は材料の種類、又は他のシステム構成要素の実施例、又は本明細書で開示された方法に限定されない。ヘルメット製造と矛盾しない、当技術分野で既知の、多くの追加の構成要素、製造及び組み立て手順は、本開示からの特定の実装例と共に使用されることが企図される。したがって、例えば、特定の実装例が開示されているが、かかる実装例及び実装構成要素は、意図された動作と矛盾しない、かかるシステム及び実装構成要素のための、任意の構成要素、モデル、種類、材料、バージョン、量、及び／又は当技術分野で既知のものであるような同様のものを含み得る。
【００１３】
用語「代表的な」、「実施例」、又はこれらの様々な形態は、実施例、例、又は例示として機能することを意味するために使用されている。本明細書において「代表的」又は「実施例」として記載される態様又は設計は、他の態様又は設計よりも好ましいか、又は有利であると解釈される必要は必ずしもない。更に、実施例は、明瞭性及び理解の目的のためだけに提示されるのであって、開示される主題、又は本開示の関連部分を限定又は制限することを意図するものでは決してない。変化する範囲の、無数の追加的又は代替的な実施例が提示されているが、簡潔さの目的のために省略されていることが理解される。
【００１４】
本開示は、多くの異なる形態の複数の実施形態を含むが、特定の実施形態が詳細に、図面に示され本明細書に記載され、本開示は、開示される方法及びシステムの原理の具体例としてみなされるべきであり、本開示の概念の広範な態様を、例示される実施形態に限定することは意図されないものと理解される。
【００１５】
本開示は、発泡体などの外側シェル及び内側エネルギー吸収層を備え得る保護ヘルメットを提供するための、デバイス、装置、システム、及び方法を提供する。保護ヘルメットは、マウンテンバイク又はロードサイクリングのために使用される自転車ヘルメットと同様に、スキーヤー、スケーター、ホッケー選手、スノーボーダー、又は他のスノー又はウォータースポーツの運動選手、フットボール選手、野球選手、ラクロス選手、ポロ選手、登山者、オートレーサー、モータサイクルライダー、モトクロスレーサー、スカイダイバー又は任意の他のスポーツの運動選手のために使用され得る。建築労働者、軍人、消防士、パイロットなどの他の産業及び労働に雇用された個人などの、他の産業もまた保護的な帽子を使用し、又、同様の技術及び方法がまた適用され得る種類の労働及び活動もまた安全ヘルメットを使用し得る又は必要になり得る。上で記載されたスポーツ、職業、又は活動の各々は、常にではないが典型的には装飾的なカバーによって外側を覆われており、内側の少なくとも一部分上に、通常は快適性詰め物の形態である、快適性材料を含む、単回又は複数回のいずれかの衝撃定格の保護材料基材を含むヘルメットを使用し得る。
【００１６】
一般的に、上で記載された保護ヘルメットのような保護ヘルメットは、外側シェル及び内側エネルギー吸収材を備え得る。便宜上、保護ヘルメットは、成形ヘルメット又はハードシェルヘルメットのいずれかとして一般的に分類され得る。成形ヘルメットは、薄い外側シェル、エネルギー吸収層、又は衝撃ライナと、快適性ライナ又はフィットライナとを含む１つの層、又は１つを超える層を備え得る。ハードシェルヘルメットは、ハード外側シェル、衝撃ライナ、及び快適性ライナを備え得る。ハード外側シェルは、射出成形によって形成され得、アクリロニトリル−ブタジエン−スチレン（ＡＢＳ）プラスチック又は他の同様な若しくは好適な材料を備え得る。ハードシェルヘルメットのための外側シェルは、典型的には衝撃及び穿刺に耐えるため、また関連する安全性試験規格を満たすために十分固く作られ、その一方で変形によってエネルギーを吸収するように、衝撃の間にわずかに変形するために十分柔軟であり、ひいてはエネルギー管理に寄与する。ハードシェルヘルメットは、スケート用バケツヘルメット、モーターサイクル用ヘルメット、スノー及びウォータースポーツ用ヘルメット、フットボール用ヘルメット、バッティング用ヘルメット、キャッチャー用ヘルメット、ホッケー用ヘルメットとして使用され得、ＢＭＸ乗車及びレースのために使用され得る。本開示において提示される様々な態様及び実装例は、成形ヘルメットを含む実施形態に焦点を合わせているが、本開示はまたハードシェルヘルメットにも関連及び適用する。
【００１７】
図１は、通気ベント又は開口部３１並びに上部ボディ４０及び下部ボディ５０を備えるマルチボディヘルメット３０の非限定的な実施例の側部外形図を示す。便宜上、マルチボディヘルメット３０は、本出願の全体に渡って、上部ボディ４０及び下部ボディ５０、又は第１の及び第２のボディ又は部分を備える、２つのボディヘルメット、又は分岐したヘルメットとして参照される。しかし、本開示は３つ、４つ、又は任意の好適な数のボディなどの、２つを超えるボディを備えるマルチボディヘルメットを包含し、用語２つのボディヘルメット又は分岐したヘルメットの使用は、２つ以上のボディを有するヘルメットを包含するように意図されている。上部ボディ４０及び下部ボディ５０は、上で一般的に説明された従来の単一のボディヘルメットからの発展である、図１で示されるような単一のマルチボディヘルメット３０を形成するために接合され得る。図１は、互いに隣接し、整列され、及び接触している、マルチボディヘルメット３０の上部ボディ４０及び下部ボディ５０を示す。
【００１８】
上部ボディ４０は、外側シェル４２及びエネルギー吸収層又は衝撃ライナ４４を備え得るが、上部ボディ４０は両方を有する必要はない。例えば、いくつかの実施形態において、上部ボディ４０は、外側シェル４２を有していないエネルギー吸収層４４を備え得る。通気ベント又は開口部４１は、少なくとも通気ベント３１の一部分を、形成し、備え、又は整列する上部ボディ４０内に形成され得る。同様に、下部ボディ５０は外側シェル５２及びエネルギー吸収層又は衝撃ライナ５４を備え得るが、下部ボディ５０は両方を有する必要はない。例えば、いくつかの実施形態において下部ボディ５０は、外側シェル５２を有していないエネルギー吸収層５４を備え得る。通気ベント又は開口部５１は、通気ベント３１、通気ベント４１、又はその両方の少なくとも一部分を形成し、備え、又は整列する下部ボディ５０内に形成され得る。
【００１９】
外側シェル４２及び５２は、それぞれ、限定することなしに、プラスチック、樹脂、繊維、又はポリカーボネート（ＰＣ）、ポリエチレンテレフタレート（ＰＥＴ）、アクリロニトリル−ブタジエン−スチレン（ＡＢＳ）、ポリエチレン（ＰＥ）、ポリ塩化ビニル（ＰＶＣ）、ビニルニトリル（ＶＮ）、ファイバーグラス、炭素繊維、又は他の同様な材料を含む、他の好適な材料で形成され得る。外側シェル４２及び５２は、鍛造、成形、射出成形、真空成形、又は別の好適な方法によって形成され得る。外側シェル４２及び５２は、それぞれ成形されうるエネルギー吸収層４４及び５４内へシェルを提供し得る。外側シェル４２及び５２はまた、改善されたパフォーマンス、改善された美観、又は両方のために、平滑な空気力学的仕上げ、装飾的仕上げ、又は両方を提供し得る。非限定的な実施例として、外側シェル４２及び５２は、真空成形シートの形態へと成形された又は接着剤を用いてそれぞれエネルギー吸収層４４及び５４に取り付けられた、ＰＣシェルを備え得る。外側シェル４２及び５２はまたそれぞれ、限定することなしに、接着剤、永久接着剤、感圧接着剤（ＰＳＡ）、フォームコア接着剤、テープ、両面テープ、マウンティングフォーム接着剤、締結具、クリップ、クリート、カットアウト、留め金、スナップ嵌め、リベット、ホッグリング、又は面ファスナーを含む、任意の好適な化学的若しくは機械的締結具又は取り付けデバイス若しくは物質を使用して、エネルギー吸収層４４及び５４に取り外せないように又は取り外し可能に連結され得る。
【００２０】
いくつかの実施形態において、外側シェル４２及び５２はそれぞれ、エネルギー吸収層４４及び５４全体の上で、又は覆って形成され得る。別の方法としては、外側シェル４２及び５２はそれぞれ、エネルギー吸収層４４及び５４の全体よりも小さい、エネルギー吸収層４４及び５４の一部分の上で、又は覆って形成され得る。非限定的な実施例として、いくつかの実施形態において、外側シェル５２は、上部ボディ４０の外側シェル４２に対して覆われず又は露出したままで残るであろう下部ボディ５０の下部部分に限定され得る。したがって、下部ボディ５０の上部部分は外側シェル５２なしで形成され得る。
【００２１】
エネルギー吸収層４４及び５４は、外側シェル４２及び５２それぞれの内側及び隣接して、それぞれ配設され得る。エネルギー吸収層４４及び５４は、吸収、偏向、又は別な方法でエネルギーを管理する及び衝撃の間着用者を保護するためのエネルギー管理に寄与するための、プラスチック、ポリマー、発泡体、又は他の好適なエネルギー吸収材又は衝撃ライナで作製され得る。エネルギー吸収層４４及び５４は、限定することなしに、発泡ポリプロピレン（ＥＰＰ）、ＥＰＳ、発泡ポリウレタン（ＥＰＴＵ又はＥＰＵ）、発泡ポリオレフィン（ＥＰＯ）、又は他の好適な材料を備え得る。上で示したように、成形ヘルメットは、ヘルメットの外側シェルを、発泡剤を外側シェル内に膨張させることによってエネルギー吸収層に直接固着させて形成され得る。したがって、エネルギー吸収層４４及び５４は、いくつかの実施形態において、それぞれエネルギー吸収材の単一のモノリシックボディとして外側シェル４２及び５２へと成形され得る。別の方法としては、他の実施形態においてエネルギー吸収層４４及び５４は、いくつかの部分又は複数の部分に形成され得る。いずれにしても、エネルギー吸収層４４及び５４は、ベンディング、屈曲、破砕、又はひび割れによる衝撃からのエネルギーを吸収し得る。
【００２２】
上部ボディ４０及び下部ボディ５０などのいくつかのボディ又は部分を有するマルチボディヘルメット３０を形成することによって、マルチボディヘルメット３０は有利に及び簡単に多密度設計を提供し得る。例えば、上部ボディ４０及び下部ボディ５０は、異なる密度のエネルギー吸収材及びエネルギー管理特性を形成し得、エネルギー吸収材４４は第１の密度を備え得、エネルギー吸収材５４は第１の密度と異なる第２の密度を備え得る。第１の密度は第１の密度よりも大きく又は小さくあり得る。一実施形態において、エネルギー吸収材４４は７０〜１００ｇ／Ｌの範囲内の密度を備え得、エネルギー吸収材５４は５０〜８０ｇ／Ｌの範囲内の密度を備え得る。更に、増加した密度、減少した密度、又は混ざった密度を含む、変化する密度のいくつかの層が組み合わされ得る。複数のボディ又は構成要素のための複数の密度を備える単一のマルチボディヘルメット３０を形成することによって、ヘルメット重量、及び試験のパフォーマンスを含むヘルメットのパフォーマンスは、単一ボディのヘルメットで可能であるものよりも、より優れた自由度及びより少ない制限で、操作され、最適化され得る。
【００２３】
上部ボディ４０及び下部ボディ５０などの、いくつかの結合するボディ又は部分を有するマルチボディヘルメット３０を形成することによって、マルチボディヘルメット３０はまた、従来の１つのボディ又はモノリシックの保護ヘルメットに関して増加した設計柔軟性を提供し得る。増加した設計柔軟性は、単一のボディライナでは成し遂げることが困難であろう形状、幾何学的形状、及び配向を備える上部ボディ４０及び下部ボディ５０を形成することによって達成され得る。単一のボディライナの形状、幾何学的形状、及び配向を制限する制約には、鋳型への発泡体又はエネルギー吸収材の射出についての制約、鋳型から成形された発泡体又はエネルギー吸収材を除去する制約、及びさし型又はエネルギー吸収材の塊などの材料の標準的なブランクから、単一のボディライナを機械加工又は除去する制約が含まれる。例えば、単一のヘルメットにいくつかの結合するボディ片を使用することにより、一片の鋳型から除去又は引き出すことが困難又は不可能であろうヘルメット形状、幾何学的形状、及び配向が可能になり得る。非限定的な実施例として、マルチボディヘルメット３０のためのヘルメット形状に関する増加した設計柔軟性は、使用者の頭の後頭部又は後頭の曲線の輪郭に沿う湾曲又は外形を備えるヘルメットを含み得る。なお、上部ボディ４０及び下部ボディ５０のための増加した設計柔軟性は、ＥＰＳ圧迫において、マルチボディヘルメット３０のためのエネルギー吸収材の組み立て品を単純化することによって達成され得る。
【００２４】
図１はまた、マルチボディヘルメット３０に取り外し可能に連結され得る、遮蔽物、レンズ、サングラス、又はひさし２０を示す。遮蔽物２０は、レンズ２２に連結された、レンズ、若しくはレンズ部分２２、及び遮蔽物装着具、リム、フレーム、又は取り付け部分２４を備え得る。いくつかの実施形態において、レンズ２２及び遮蔽物装着具２４は、単一の材料で一体成形され得る。他の実施形態において、レンズ２２及び遮蔽物装着具２４は、限定することなしに、接着剤、永久接着剤、締結具、クリップ、クリート、カットアウト、留め金、スナップ嵌め、リベット、ホッグリング、又は他の結合する表面、機能、又は部分を含む任意の好適な化学的又は機械的取り付け具を使用して互いに、その後に連結又は取り付けられ得る２つ以上の別個の又は分離している部分を形成し得る。
【００２５】
レンズ２２は、１つ、２つ、又は任意の数の別個の又は分離している好適な部材を備え得る。他の実施形態において、別個のレンズが使用者の目のそれぞれを別個に覆うために使用され得る一方で、いくつかの例において単一の大きなレンズは使用者の両目を覆い得る。しかし説明の容易さのため、いくつかのレンズが使用され得るときであっても、レンズ２２は単数として参照されるであろう。レンズ２２は、使用者の目を風、破片、及び飛行物体から遮蔽又は保護するための、ガラス、プラスチック、又は他の好適な材料を備え得る。レンズ２２はまた、例えば、明るい可視光、反射及び閃光、及び紫外線などの有害な放射を含む、ヘルメット使用者の目に届く電磁放射の量を低減するために、着色又は偏向され得る。レンズ２２はまた、眼鏡の視野を矯正するために使用されるレンズなどの１つ以上の度付きレンズを含めることによって、使用者の視覚を改善するように構成され得る。なお、レンズ２２はまた、ヘルメット使用者によって見られるためのコンピュータ生成情報又は無線で送信される情報などの所望の情報を受信及び表示するための「ヘッドアップ表示装置」を備え得る。ヘッドアップ表示装置として使用されたとき、レンズ２２の全体又はレンズ２２の全体よりも小さいレンズ２２の一部分は、使用者がレンズ２２から見る、読む、又は使用するための所望の情報を表示するために使用され得る。
【００２６】
遮蔽物２０は、使用者が、マルチボディヘルメット３０への遮蔽物２０を簡単に取り付け及び除去することを可能にし得る、磁石、ラッチ、クリップ、又は他の機械的締結具を単独で又は一緒に、のいずれかで使用して、マルチボディヘルメット３０に取り外し可能に連結され得る。一実施形態において、磁石２６は、追加の機械的取り付け具なしで、遮蔽物２０をマルチボディヘルメット３０に取り外し可能に連結するために使用され得る。したがって遮蔽物２０は、ヘルメット使用者が停止していても、又は乗車していても、マルチボディヘルメット３０に簡単に連結及び連結解除され得る。ヘルメットに取り外し可能に連結されるように構成されてきた、従来の又は伝統的な遮蔽物は、使用者が乗車又は活動中であるとき、遮蔽物の取り付け又は解放を困難に、実現困難に、又は不可能にする扱いにくい取り付けデバイスを備える。したがって、遮蔽物２０をマルチボディヘルメット３０に、磁石２６を用いて及び追加の機械的取り付け具を用いずに取り外し可能に連結することは、使用者の顔又は目に対しての遮蔽物２０の適切及び確実な位置調節を簡単にし得、それは簡単に及び便利に、たとえ乗車中であったとしても使用者によって達成され得る。同様に、遮蔽物２０をマルチボディヘルメット３０に、磁石２６を用いて及び追加の機械的取り付け具を用いずに取り外し可能に連結することは、遮蔽物２０の格納のためなどの、ヘルメット上の目から離れている遮蔽物２０の適切及び確実な位置調節を簡単にし得、それは簡単に及び便利に、たとえ乗車中であったとしても使用者によって達成され得る。
【００２７】
図２は、マルチボディヘルメット３０の分解斜視図を示し、マルチボディヘルメット３０の上部ボディ４０及び下部ボディ５０は、上部ボディ４０及び下部ボディ５０が互いに接触又は隣接するように定置される前のように、互いに対して整列している一方で間隙又は空間によって垂直方向に分離されている。図２で示される分離された位置から、上部ボディ４０及び下部ボディ５０は、図１で示される隣接した位置調節へと一緒に引かれ得る。上部ボディ４０及び下部ボディ５０はまた、限定することなしに、接着剤、永久接着剤、ＰＳＡ、フォームコア接着剤、テープ、両面テープ、マウンティングフォーム接着剤、締結具、クリップ、クリート、カットアウト、留め金、スナップ嵌め、リベット、ホッグリング、又は面ファスナー、又は他の結合する表面、機能、又は部分を含む、任意の好適な化学的又は機械的締結具、取り付けデバイス、又は物質を使用して、一緒に連結又は接着され得る。かかる結合機能は、上部ボディ４０及び下部ボディ５０などの、いくつかのボディの間の望ましくない相対的移動を限定、防止、又は調節し得る。いくつかの例において、所定のレベルの力で剪断又は破断するように、所定の剪断強度が結合機能内に築かれ得る。非限定的な実施例として、マルチボディヘルメット３０は、マルチボディヘルメット３０を形成するために上部ボディ４０及び下部ボディ５０を一緒に連結することを助けるため、バンプ又はポップアウト８０と同様に窪み８２を備え得る。より具体的には図２は、バンプ８０及び窪み８２が、上部ボディ４０の内側表面４６上の対応するバンプ及び窪みと嵌合可能に連結されるために、下部ボディ５０の外側表面５８上に形成され得、サイズ、形状、及び位置によって構成されることを示す。バンプ８０及び窪み８２の結合機能は、上部ボディ４０とマルチボディヘルメット３０の下部ボディ５０との間の、より強固な接続及びより良い整列を簡単にすることを助け得る。
【００２８】
図２はまた、遮蔽物２０がレンズ２２と同様に、レンズ２２に取り付け又は連結され得る遮蔽物装着具２４も備え得ることを示す。遮蔽物装着具２４はまた、遮蔽物２０をマルチボディヘルメット３０に取り外し可能に連結するための、１つ以上の磁石２６などの１つ以上の取り付けデバイスを備え得る。磁石２６は、任意の望ましいサイズ、強度、又は形状であり得る。１つ、２つ、又は３つの磁石などの任意の数の磁石２６が遮蔽物２０をマルチボディヘルメット３０に取り外し可能に連結することに使用され得る一方で、図２は３つ又は４つの磁石が使用され得る非限定的な実施例を示す。図２で示される磁石２６は破線で示され、磁石２６がマルチボディヘルメット３０、又は遮蔽物２０の様々な構造物の表面で可視になることなく、それぞれの構造物内に収容され得ることを示している。例えば、第１の磁石２６ａは、遮蔽物装着具２４内に配置され得、対応している第２の磁石２６ｂ、２６ｃ、又は両方は、マルチボディヘルメット３０内に配設され得る。図２は、磁石２６ａ及び遮蔽物２０を下部ボディ５０に取り外し可能に連結するために、磁石２６ｂが下部ボディ５０内に配設され得る、非限定的な実施例を示す。同様に図２はまた、磁石２６ａ及び遮蔽物２０を上部ボディ５０に取り外し可能に連結するために、磁石２６ｃが上部ボディ４０内に配設され得る、非限定的な実施例を示す。
【００２９】
磁石２６ｂ及び２６ｃなどの、マルチボディヘルメット３０内に配設される磁石２６は、遮蔽物装着具２４内に配設される磁石２６ａに取り外し可能に連結され、その焦点として機能するように配置され得る。遮蔽物装着具２０内の磁石２６ａと、それぞれ、下部ボディ５０及び上部ボディ４０の内側の磁石２６ｂ又は２６ｃとの間の近接又は距離が、遮蔽物２０及び遮蔽物装着具２４を、マルチボディヘルメット３０の額部分３２上の所望の位置で、自己位置決め又は自動整列する原因となり得る。ヘルメット３０の額部分３２上の磁石２６ｂ及び２６ｃの所望の位置は、使用者の顔又は目と遮蔽物２０又はレンズ２２との間の、所望の若しくは好ましい場所又は整列を考慮し得る。ヘルメット３０の額部分３２上の遮蔽物２０の所望の位置は、使用者の顔又は目と遮蔽物２０又はレンズ２２との間の、所望の又は好ましいオフセット又は距離を同様に考慮し得る。
【００３０】
磁石２６ｂ及び２６ｃの所望の位置は、ヘルメット使用者のために望ましい又は最適な位置における遮蔽物２０の位置決めを、どの位置が最も簡単にするかに基づいて決定され得る。遮蔽物２０の最適な又は所望の位置は、図３で示されるようにマルチボディヘルメット３０の厚さＴに沿い得る。所望の又は最適な位置において遮蔽物２０を連結するための磁石２５ｂ及び２６ｃの配置は、上部ボディ４０及び下部ボディ５０内の磁石２６ｂ及び２６ｃを、上部ボディ４０のための外側シェル４２及び下部ボディ５０のための外側シェル５２などのいくつかの成形シェルを使用することにより位置決めすることによって、マルチボディヘルメット３０内の磁石２６を位置決めするために、可能になり得る。遮蔽物２０の取り付け具をマルチボディヘルメット３０の厚さＴ内に統合することによって、遮蔽物２０が下部ボディ５０の内側表面５７などのヘルメットの内側表面上又は上部ボディ４０の外側表面４７などのヘルメットの外側表面上に配置される必要がなくなる。なお、遮蔽物２０は、ヘルメットの内側表面又は外側表面におけるその自然な位置から所望の位置へ遮蔽物２０の位置を調節するために、複雑な又は扱いにくい取り付けデバイスを使用して、マルチボディヘルメット３０に取り付けられる必要はない。代わりに、遮蔽物装着具２４は、マルチボディヘルメット３０の額部分３２において、開口部６６内へ又は上部ボディ４０と下部ボディ５０との間の分離内へ、直接挿入され得る単純なデバイスであり得る。
【００３１】
第３の又は第４の磁石２６ｄなどの追加の磁石２６はまた、マルチボディヘルメット３０の一部として含まれ得る。第４の磁石２６ｄの位置は、ライダーが図６で示されるように、通常の乗車位置で遮蔽物を着用しないことを選択したときのような、格納位置にある遮蔽物２０の便利な格納を簡単にし得る。
【００３２】
マルチボディヘルメット３０内の磁石２６の位置決め及び配置の利点は、従来の成形ヘルメット内の構成要素の配置に対して理解され得る。ＰＣシェルを備える成形ヘルメットのような、従来の成形ヘルメットは、従来道具の壁の面又は鋳型上で成形されるシェルと共に形成され、発泡体をシェルへと成形するため及び発泡体鋳型のために使用される。したがって、発泡体内に形成又は成形される、クリップ、アンカー、磁石、ライト、又は他の構造物などの構成要素は、ＥＰＳ又は他の好適な材料などのエネルギー吸収発泡体材料がシェル内で成形されている一方で、外側シェルと直接接触し固定されるように定置される。シェル内で成形されている構成要素は、シェル内へと成形されている発泡体又はエネルギー吸収材によって、構成要素がずらされる又は移動されることを防止するために、従来外側シェルと直接接触している。したがって、エネルギー吸収材内に配設される成形構成要素は、シェルと接触して、又は隣接している構成要素の少なくとも一部分を用いて、エネルギー吸収材内に位置付けられる。したがって、従来の単一のボディ成形ヘルメットは、成形されている構成要素を含んでいない又はヘルメットの中央部分に定置されるが、上で開示された工学的な理由のために、シェルに隣接したエネルギー吸収材の外部部分に配設された構成要素を有することによって限定されている。更に事業考察はまた、成形構成要素の配置を成形層の中央に限定している。例えば、構成要素を鋳造後にエネルギー吸収材内に配置することは、磁石２６などの構成要素の配置を、既に鋳造されたエネルギー吸収材内に、構成要素を定置するための追加の製造ステップを要求することによって、扱いにくい、非常に時間がかかる、又は多くの費用がかかるようなるであろう。
【００３３】
反対に、マルチボディヘルメット３０の形成などの、分岐点又は成形ヘルメットの部分としてのいくつかのボディの使用は、磁石２６などの、内側構成要素の配置に対するより大きな可能性を可能にし得る。構成要素の配置におけるより大きな柔軟性は、マルチボディヘルメットのいくつかのボディが一緒に連結されたとき、成形ヘルメット内のシェルの表面と連結された構成要素が、マルチボディヘルメットの内側部分に配設され得るため、達成され得る。例えば、下部ボディ５０の外側表面５８又は上部ボディ４０の内側表面４６に接触している磁石２６などの構成要素の配置は、上部ボディ４０及び下部ボディ５０が一緒に連結されたとき、マルチボディヘルメット３０の内側部分に配設されている構成要素又は磁石２６という結果をもたらし得る。従来の成形工程の一部として、エネルギー吸収層内で磁石２６などの構成要素を形成することによって、成形工程がヘルメットの中央部分、マルチボディヘルメット３０の厚さＴの中央部分内側に、磁石を効率的に及び費用効果的に提供し始める前に、磁石２６は鋳型内に配設され得る。いくつかの実施形態において、磁石２６が配置されているところのような厚さＴの中央部分は、１ミリメートル（ｍｍ）、２ｍｍ、３ｍｍ、４ｍｍ、５ｍｍ、７ｍｍ、１０ｍｍ又はそれ以上を超える距離による、下部ボディ５０の内側表面５７又は上部ボディ４０の外側表面４７などの、マルチボディヘルメット３０の内側又は外側縁からオフセットである厚さＴの一部分を含み得る。
【００３４】
それによって、マルチボディヘルメットのいくつかのボディの従来の成形工程内に、磁石２６などの成形構成要素を含むことによって、いくつかの利点が理解され得る。第１に、既に成形されたエネルギー吸収材内に空間を形成し、その後に磁石２６を空間に追加し、磁石によって占められていない空間の一部分を埋めることなどによって、既に成形されたヘルメット又はヘルメット構成要素内への磁石の挿入を提供する非効率性を避けるために、磁石２６は成形工程の間にエネルギー吸収材内に配設され得る。第２に、下部ボディ５０の外側表面５８、又は上部ボディ４０の内側表面４６などで、マルチボディヘルメット３０のいくつかのボディ内の磁石を成形することは、下部ボディ５０の内側表面５７及び上部ボディ４０の外側表面４７などの、マルチボディヘルメットの外側及び内側表面から離れて、磁石２６がマルチボディヘルメット３０の中央又は内側部分内に配設されることを可能にする。
【００３５】
上で示し、図３に示されるように、マルチボディヘルメット３０は、マルチボディヘルメット３０の厚さＴに対する遮蔽物２０の場所又は位置におけるより優れた選択を、磁石２６の位置決めにおける増加した柔軟性によって、簡単に又は可能にし得る。同様に、マルチボディヘルメット３０はまた、以下でより詳細に説明される、開口部、隙間、間隙、又は空間６６の位置、サイズ、又は形状に対する遮蔽物２０の場所又は位置におけるより優れた選択を、簡単に又は可能にし得る。
【００３６】
開口部６６は、下部ボディ５０の外側表面５８と上部ボディ４０の内側表面４６との間のマルチボディヘルメット３０内に形成され得る。開口部６６はまた、マルチボディヘルメット３０の額部分３２における下部ボディ５０の外側表面５８及び上部ボディ４０の内側表面４６の部分によって、開口部６６の外側境界、輪郭、又は縁が形成、定義、又は描写され得るように、形成され得る。開口部６６は、開口部６６内で入れ子にされ又は隠され得る遮蔽物２０の遮蔽物装着具２４を、受容する又は嵌合可能に連結するために、マルチボディヘルメット３０内にサイズ決定及び配置され得る。
【００３７】
したがって、少なくとも遮蔽物２０の一部分及び開口部６６の一部分は、マルチボディヘルメット３０の厚さＴの中央近くに配設され又は配置され得る。同様に、遮蔽物２０及び開口部６６はまた、上部ボディ４０及び下部ボディ５０の構成、設計、位置、及び相対配向に依存して、マルチボディヘルメット３０の厚さＴに沿った任意の望ましい位置に配設され得る。したがって、開口部６６と遮蔽物装着具２４の中間位置は、使用者の頭部の中央とヘルメットの外側表面と接する点との間で放射状に延在する線に沿い得る。又は、別の言い方をすれば、開口部６６と遮蔽物装着具２４の中間位置は、下部ボディ５０の内側表面５７と上部ボディ４０の外側表面４７などの、マルチボディヘルメット３０の内側と外側表面との間であり得る。いくつかの実施形態において、開口部６６の位置又は場所は、必要性又はマルチボディヘルメット３０を使用している個人使用者の好みに合うように、適応され又は形成され得る。使用者の好み又は必要性に合わせるための開口部６６の適応作用は、開口部６６の位置からもたらされている、使用者の顔と遮蔽物２０の位置からの距離又はオフセットを含み得る。使用者の好み又は必要性に合わせるための開口部６６の適応作用はまた、ヘルメット内の使用者の頭部のサイズ、形状、又は位置などの、別の機能又は使用者の寸法を含み得る。
【００３８】
マルチボディヘルメット３０内の磁石２６の場所のうちの１つ以上、並びに開口部６６のサイズ、位置、又は両方を考慮して、磁気的に連結された遮蔽物２０の改善された位置がマルチボディヘルメット３０に提供され得る。遮蔽物２０の位置は、遮蔽物２０がマルチボディヘルメット３０に磁気的に連結され得る位置の数及び範囲を増加させることによって改善され得る。例えば、遮蔽物２０又は遮蔽物装着具２４を、内側又はヘルメットの外側表面に定置することに加えて、遮蔽物２０又は遮蔽物装着具２４はまた、使用者の顔と目との間の距離の範囲に適合するために、マルチボディヘルメット３０の厚さＴに沿った任意の複数の距離に定置され得る。遮蔽物２０又は遮蔽物装着具２４はまた、マルチボディヘルメット３０内の使用者の頭部又は顔の、サイズ、形状、又は位置の１つ以上に適合するように定置され得る。マルチボディヘルメット３０及び使用者の顔、目、又は両方に対する遮蔽物２０の位置は、上部ボディ４０及び下部ボディ５０などのマルチボディヘルメット３０の１つ以上のボディの形状又は形態を変化させる柔軟性のため、比較的簡単にカスタマイズ可能であり、達成され得る。したがって遮蔽物２０の位置は、上部ボディ４０及び下部ボディ５０のエネルギー吸収材などの、マルチボディヘルメット３０のエネルギー吸収材のサイズ、形状、又は位置を調節することにより、開口部６６のサイズ、形状、又は位置を調節することによって決定され得る。別の言い方をすれば、遮蔽物２０の位置は、使用者の目及び顔の位置に対する遮蔽物２０の位置を調節することを可能にするために、調整器、増量材、クリップ、又は他の構造を備える入り組んだ遮蔽物装着具組み立て品を提供することを頼る必要はない。代わりに、使用者の目と遮蔽物２０との間の位置を、遮蔽物装着具組み立て品から離し、上部ボディ４０及び下部ボディ５０のエネルギー吸収材などの、マルチボディヘルメット３０のエネルギー吸収材へと変化させるため、調節機能の少なくとも一部分（及びいくつかの実施形態においては全て）を移動することによって、ヘルメット及び遮蔽物の機能及び美観が改善され、単純化される。
【００３９】
反対に、成形ヘルメット設計を含む従来の単一のボディヘルメット設計は、ヘルメットの外側表面上又はヘルメットの内側表面上の遮蔽物のための装着表面を提供するであろう。したがって、従来の設計のための装着された遮蔽物の位置は、従来の成形工程の間、使用者のために最適な又は望ましい距離において、遮蔽物装着具部分への機械的複雑性、又は磁石以外、又は加えて、異なる装着方法を用いることなしに、中央領域又はヘルメットの厚さに定置され得ない。
【００４０】
上に概説されたものを含む従来の設計の欠点は、本明細書で開示されるマルチボディヘルメット３０及び遮蔽物２０を用いて改良される。開口部６６内に遮蔽物装着具２４を入れ子にする又は配設することによって、遮蔽物装着具２４及び遮蔽物２０は、開口部６６内で遮蔽物装着具２４を自動的に自己整列させる磁石２６を有するマルチボディヘルメット３０と取り外し可能に連結される。自己整列は、遮蔽物装着具組み立て品の磁石２６ａと、対応している磁石２６ｂと、マルチボディヘルメット３０内に埋め込まれた２６ｃとの間など、様々な磁石２６間の磁気引力によって発生し得る。磁石２６ａを備える単純な遮蔽物装着具２４を使用することによって、遮蔽物２０は図１で示されるように、マルチボディヘルメット３０に単純に、簡単に、及び取り外し可能に連結され得る。非限定的な実施例として、磁石２６の表面は、互いに接触していることによって又はマルチボディヘルメット３０のボディの内側又は外側表面に配置されていることによって、互いに共面又は実質的に共面上にあり得る。例えば、遮蔽物装着具２４に連結された磁石２６ａの表面は、磁石２６ｂ、２６ｃ、又は２６ｄの表面と連結し、同一平面上にあり、又は直接接触し得る。別の実施例として、マルチボディヘルメット３０の一部分上のＰＣシェル又は他の材料などの、材料の薄層は、磁石は直接接触せず又は互いに同一平面上にあるが、互いに実質的に同一平面上にある表面を含み、材料の薄層の厚さによってオフセットであるように、近接して整列した磁石２６の間に配設され得る。なお、磁石２６を備える遮蔽物２０及びマルチボディヘルメット３０の設計は、遮蔽物２０をいくつかの異なる位置でマルチボディヘルメット３０に連結することに対する柔軟性及び適応性を提供し得る。遮蔽物をヘルメットに装着するために利用できるいくつかの又は複数の位置は、図４で示される「ライダー」位置、図５で示される「ひさし」位置、及び図６で示される「格納」位置を含み得る。
【００４１】
図４は、レンズ２２がマルチボディヘルメット３０を着用している使用者の目と整列されるように、ライダー位置で連結された遮蔽物２０を有する、マルチボディヘルメット３０の前部の外形図を図示する。遮蔽物２０のライダー位置は、開口部６６内に遮蔽物装着具２４を挿入することによって達成され得る。遮蔽物２０のライダー位置は、下部ボディ５０又は上部ボディ４０内に、それぞれ配置された、遮蔽物装着具２４の磁石２６ａと磁石２６ｂ又は２６ｃとの間の自己整列する磁気的連結のために、使用者によって簡単に及び便利に達成され得る。したがって、使用者は、乗車中又はサイクリング中などの運動中に、遮蔽物２０をマルチボディヘルメット３０に連結し得る。運動中に遮蔽物２０をマルチボディヘルメット３０に取り付ける能力は、取り付けることが困難であるか又は扱いにくく、遮蔽物をヘルメットに連結するために使用者が停止する又はヘルメットを脱ぐことを要求する遮蔽物取り付け具を備える従来のヘルメットとは対照的である。
【００４２】
図５は、図４で示される図と同様な、マルチボディヘルメット３０の前部の外形図を図示する。レンズ２２はマルチボディヘルメット３０を着用している使用者の目と直接整列されないが、マルチボディヘルメット３０上で上昇した又はより高く上げられた遮蔽物２０を備えるように、図５は遮蔽物２０がライダー位置ではなくひさし位置に連結されているという点で図４と異なる。遮蔽物２０のひさし位置は遮蔽物装着具２４を、開口部６６の外側に定置し、磁石２６ｂ及び２６ｃよりも上に配設される磁石２６ｄに磁気的に接触、又は磁気により連結することによって達成され得る。遮蔽物２０のライダー位置のような、遮蔽物２０のひさし位置は、自己整列する磁気的連結のため、使用者によって簡単に及び便利に達成され得る。したがって、使用者は、乗車中又はサイクリング中などの動作中に、遮蔽物２０をマルチボディヘルメット３０にひさし位置で連結し得る。非限定的な実施例として、使用者は、乗車又はレースの間ライダー位置からひさし位置に切り替えたいと望み得、彼の自転車を停止する又はマルチボディヘルメット３０を脱ぐことなく、そのようにできる。運動中に遮蔽物２０をマルチボディヘルメット３０に取り付ける能力は、取り付けることが困難であるか又は扱いにくく、遮蔽物をヘルメットに連結するために使用者が停止する又はヘルメットを脱ぐことを要求する遮蔽物取り付け具を備える従来のヘルメットとは対照的である。
【００４３】
図６は、図４及び５で示される図と同様なマルチボディヘルメット３０の前部の外形図を図示する。レンズ２２がマルチボディヘルメット３０を着用している使用者の目と整列されず、代わりにマルチボディヘルメット３０上により高く上昇した又は上がった位置の使用者の目及び顔から離れて保管されるように、図６は遮蔽物２０がライダー又はひさし位置ではなく格納位置に連結されている点で、図４及び５と異なる。遮蔽物２０の格納位置は、遮蔽物装着具２４を開口部６６の外側に定置し、反転した又は逆さまの位置にある遮蔽物を有する磁石２６ｄに磁気的に接触する又は磁気により連結することによって達成され得る。遮蔽物２０のひさし位置及びライダー位置のような格納位置は、磁石２６の自己整列する磁気的連結のために、使用者によって簡単に及び便利に達成され得る。したがって、使用者は、乗車中又はサイクリング中などの動作中に、遮蔽物２０をマルチボディヘルメット３０に格納位置で連結し得る。非限定的な実施例として、使用者は、乗車又はレースの間ライダー位置又はひさし位置から格納位置に切り替えたいと望み得、彼の自転車を停止する又はマルチボディヘルメット３０を脱ぐことなく、そのようにできる。運動中に遮蔽物２０をマルチボディヘルメット３０に取り付ける能力は、取り付けることが困難であるか又は扱いにくく、遮蔽物をヘルメットに連結するために使用者が停止する又はヘルメットを脱ぐことを要求する遮蔽物取り付け具を備える従来のヘルメットとは対照的である。遮蔽物２０を格納位置に定置することによって、遮蔽物は使用者に対して不可視であり、使用者の視界に干渉せず、一方で同時に、望まれるときに容易にアクセス可能であり、かつライダー又はひさし位置に簡単に戻される位置にあり続ける。更に、遮蔽物が格納位置にあることにより、遮蔽物は、損失、損傷、又は落下から安全である。
【００４４】
磁気により装着された遮蔽物２０を備えるマルチボディヘルメット３０は、サイクリスト又は他のヘルメット使用者のために、複数の利点を提供し得る。マルチボディヘルメット３０及び遮蔽物２０の利点は、（ｉ）マルチボディヘルメット３０内に配置された磁石２６が、焦点として又は遮蔽物２０の自己整列のために機能することと、（ｉｉ）磁石が、成形工程の間などの形成の間に、マルチボディヘルメット３０のエネルギー吸収材内に配置され得ることと、（ｉｉｉ）遮蔽物装着具２４が、マルチボディヘルメット３０の内側表面又は外部表面から離れて、マルチボディヘルメット３０の厚さの一部分に連結され得ることと、（ｉｖ）上部ボディ４０内の第１の密度及び下部ボディ５０内の第２の密度などの、エネルギー吸収材のいくつかの密度が、マルチボディ設計に簡単に適合され得ることと、（ｖ）ヘルメット形状設計及び幾何学的形状が、マルチボディ設計の様々なボディとの追加の可能な引き角度により、より多くの数の可能性を含み得ること。
【００４５】
上記の実施例、実施形態、及び実装例は、例を示しているが、当業者であれば、他のヘルメット及び製造装置、並びに実施例が、提示される他のものと組み合わされるか、又は置き換えられることが可能であろうことを理解するべきである。上記説明がヘルメット及びカスタマイズ方法の特定の実施形態を指す場合、その趣旨から逸脱することなく、多くの修正が成され得ること、またこれらの実施形態及び実装例が他のヘルメットカスタマイズ技術にも同様に適用され得ることが容易に明らかとなるはずである。したがって、開示される主題は、本開示の趣旨及び範囲並びに当業者の知識内である全てのそのような変更、修正、及び変形例を包含することを意図する。
【図１】
2017507256.tif 000003
【図２】
2017507256.tif 000004
【図３】
2017507256.tif 000005
【図４】
2017507256.tif 000006
【図５】
2017507256.tif 000007
【図６】
2017507256.tif 000008
【国際調査報告】
2017507256.tif 000009